(57)【要約】【課題】部品点数が少ない熱交換器を提供する。【解決手段】エバポレータの第１および第２上ヘッダと第１および第２下ヘッダ3,5との間に、それぞれ複数の熱交換チューブからなり、かつ冷媒が下から上に流れる上昇流チューブ群を設ける。両下ヘッダ3,5に、上昇流チューブ群の熱交換チューブが通じるとともに、冷媒が下ヘッダ3,5の長手方向に流れながら上昇流チューブ群の全熱交換チューブに分かれて流入する冷媒分流区画35,43を設ける。冷媒分流区画35,43内の全体を上下に仕切られていない１つの空間とする。熱交換チューブは通風方向に並んだ複数の冷媒通路を有する。両下ヘッダ3,5は、上側形成部3a,5aおよび下側形成部3b,5bを有する。下側形成部3b,5bにおける冷媒分流区画35,43内に臨む面に、冷媒分流区画35,43内を長手方向に流れる冷媒を風上側に案内するガイド48,49を設ける。【選択図】図４
2020085285.tif 000002
【特許請求の範囲】
【請求項１】
上ヘッダと、長手方向を上ヘッダと同方向に向けた状態で上ヘッダの下方に配置された下ヘッダと、長手方向を上下方向に向けるとともに幅方向を通風方向に向けた状態で上ヘッダと下ヘッダとの間に配置され、かつ上下両端部が両ヘッダに接続された複数の扁平状熱交換チューブとを備えており、上ヘッダと下ヘッダとの間に、両ヘッダ間に配置された全熱交換チューブのうちの連続して並んだ少なくとも一部の複数の熱交換チューブからなり、かつ冷媒が下から上に流れる上昇流チューブ群が設けられ、下ヘッダに、上昇流チューブ群の熱交換チューブが通じさせられるとともに、冷媒が下ヘッダの長手方向に流れながら上昇流チューブ群の全熱交換チューブに分かれて流入する冷媒分流区画が１以上設けられ、熱交換チューブに複数の冷媒通路が通風方向に並んで設けられている熱交換器であって、
下ヘッダが、上側形成部および上側形成部に固定状に設けられた下側形成部を有し、下ヘッダの冷媒分流区画内の全体が上下に仕切られていない１つの空間となり、下ヘッダの下側形成部における冷媒分流区画内に臨む面に、当該冷媒分流区画内を長手方向に流れる冷媒を風上側に案内するガイドが設けられている熱交換器。
【請求項２】
ガイドが、下ヘッダの下側形成部を変形させることにより形成され、かつ冷媒分流区画の内方に突出したリブからなる請求項１記載の熱交換器。
【請求項３】
第１上ヘッダと、長手方向を第１上ヘッダと同方向に向けた状態で第１上ヘッダの下方に配置された第１下ヘッダと、長手方向を上下方向に向けるとともに幅方向を通風方向に向けた状態で第１上ヘッダと第１下ヘッダとの間に配置され、かつ上下両端部が両ヘッダに接続された複数の扁平状熱交換チューブと、長手方向を第１上ヘッダと同方向に向けた状態で第１上ヘッダの風上側に並んで配置された第２上ヘッダと、長手方向を第２上ヘッダと同方向に向けた状態で第２上ヘッダの下方に配置され、かつ第１下ヘッダの風上側に並んだ第２下ヘッダと、長手方向を上下方向に向けるとともに幅方向を通風方向に向けた状態で第２上ヘッダと第２下ヘッダとの間に配置され、かつ上下両端部が両ヘッダに接続された複数の扁平状熱交換チューブとを備えており、第１上ヘッダと第１下ヘッダとの間に、連続して並んだ複数の熱交換チューブからなりかつ冷媒が上から下に流れる下降流チューブ群と、連続して並んだ複数の熱交換チューブからなりかつ冷媒が下から上に流れる上昇流チューブ群とが、両ヘッダの長手方向に並んで設けられ、第１上ヘッダに、下降流チューブ群の上端部が通じる第１区画と上昇流チューブ群の上端部が通じる第２区画とが第１上ヘッダの長手方向に並んで設けられるとともに、第１下ヘッダに、下降流チューブ群の下端部が通じる第３区画と上昇流チューブ群の下端部が通じる第４区画とが第１下ヘッダの長手方向に並んで設けられており、第２上ヘッダと第２下ヘッダとの間に、連続して並んだ複数の熱交換チューブからなりかつ冷媒が上から下に流れる下降流チューブ群と、連続して並んだ複数の熱交換チューブからなりかつ冷媒が下から上に流れる上昇流チューブ群とが、両ヘッダの長手方向に並んで設けられ、第２上ヘッダに、下降流チューブ群の上端部が通じる第５区画と上昇流チューブ群の上端部が通じる第６区画とが第２上ヘッダの長手方向に並んで設けられるとともに、第２下ヘッダに、下降流チューブ群の下端部が通じる第７区画と上昇流チューブ群の下端部が通じる第８区画とが第２下ヘッダの長手方向に並んで設けられており、全第４区画のうちの少なくとも一部および全第８区画のうちの少なくとも一部が、上昇流チューブ群の熱交換チューブが通じさせられるとともに、冷媒が下ヘッダの長手方向に流れながら上昇流チューブ群の全熱交換チューブに分かれて流入する冷媒分流区画となっており、
第１下ヘッダおよび第２下ヘッダが、それぞれ上側形成部および上側形成部に固定状に設けられた下側形成部を有し、第１下ヘッダおよび第２下ヘッダの冷媒分流区画内の全体が上下に仕切られていない１つの空間となり、第１下ヘッダおよび第２下ヘッダの下側形成部における冷媒分流区画内に臨む面に、当該冷媒分流区画内を長手方向に流れる冷媒を風上側に案内するガイドが設けられている請求項１記載の熱交換器。
【請求項４】
ガイドが、第１下ヘッダおよび第２下ヘッダの下側形成部を変形させることにより形成され、かつ冷媒分流区画の内方に突出したリブからなる請求項３記載の熱交換器。
【請求項５】
第１上ヘッダの少なくとも１つの第１区画が、下降流チューブ群が通じさせられるとともに、冷媒が第１上ヘッダの長手方向に流れながら下降流チューブ群の全熱交換チューブに分かれて流入する上側冷媒分流区画となっており、第１上ヘッダが、下側形成部および下側形成部に固定状に設けられた上側形成部を有し、第１上ヘッダの上側冷媒分流区画内の全体が上下に仕切られていない１つの空間となり、第１上ヘッダの上側形成部における上側冷媒分流区画内に臨む面に、当該上側冷媒分流区画内を長手方向に流れる冷媒を風上側に案内する上側ガイドが設けられている請求項３または４記載の熱交換器。
【請求項６】
上側ガイドが、第１上ヘッダの上側形成部を変形させることにより形成され、かつ上側冷媒分流区画の内方に突出したリブからなる請求項５記載の熱交換器。
【請求項７】
第１上ヘッダの一端に冷媒入口が設けられるとともに第２上ヘッダの冷媒入口と同一端に冷媒出口が設けられ、冷媒入口および冷媒出口とは反対側の端部に、風下側最遠下降流チューブ群および風上側最遠下降流チューブ群が設けられており、風下側最遠下降流チューブ群の上端部が通じる第１上ヘッダの第１区画が最遠第１区画になるとともに風下側最遠下降流チューブ群の下端部が通じる第３区画が最遠第３区画となり、風上側最遠下降流チューブ群の上端部が通じる第２上ヘッダの第５区画が最遠第５区画になるとともに風上側最遠下降流チューブ群の下端部が通じる第７区画が最遠第７区画となり、最遠第１区画に当該最遠第１区画に隣接する第２区画から冷媒が流入するようになされ、最遠第１区画と最遠第５区画とが通風方向に並ぶとともに両者が相互に通じさせられ、最遠第３区画と最遠第７区画とが通風方向に並ぶとともに両者が相互に通じさせられている請求項３〜６のうちのいずれかに記載の熱交換器。
【請求項８】
第１上ヘッダと、長手方向を第１上ヘッダと同方向に向けた状態で第１上ヘッダの下方に配置された第１下ヘッダと、長手方向を上下方向に向けるとともに幅方向を通風方向に向けた状態で第１上ヘッダと第１下ヘッダとの間に配置され、かつ上下両端部が両ヘッダに接続された複数の扁平状熱交換チューブと、長手方向を第１上ヘッダと同方向に向けた状態で第１上ヘッダの風上側に並んで配置された第２上ヘッダと、長手方向を第２上ヘッダと同方向に向けた状態で第２上ヘッダの下方に配置され、かつ第１下ヘッダの風上側に並んだ第２下ヘッダと、長手方向を上下方向に向けるとともに幅方向を通風方向に向けた状態で第２上ヘッダと第２下ヘッダとの間に配置され、かつ上下両端部が両ヘッダに接続された複数の扁平状熱交換チューブとを備えており、第１上ヘッダの一端に冷媒入口が設けられるとともに第２上ヘッダの冷媒入口と同一端に冷媒出口が設けられ、第１下ヘッダと第２下ヘッダとがいずれか一端部において通じさせられ、第１上ヘッダと第１下ヘッダとの間に、当該両ヘッダ間に配置された全ての熱交換チューブからなりかつ冷媒が上から下に流れる下降流チューブ群が設けられ、第２上ヘッダと第２下ヘッダとの間に、当該両ヘッダ間に配置された全ての熱交換チューブからなりかつ冷媒が下から上に流れる上昇流チューブ群が設けられ、第２下ヘッダの全体に、上昇流チューブ群の下端部が通じさせられるとともに、冷媒が第２下ヘッダの長手方向に流れながら上昇流チューブ群の全熱交換チューブに分かれて流入する冷媒分流区画が設けられ、第２下ヘッダが、上側形成部および上側形成部に固定状に設けられた下側形成部を有し、第２下ヘッダの冷媒分流区画内の全体が上下に仕切られていない１つの空間となり、第２下ヘッダの下側形成部における冷媒分流区画内に臨む面に、当該冷媒分流区画内を長手方向に流れる冷媒を風上側に案内するガイドが設けられている請求項１記載の熱交換器。
【請求項９】
ガイドが、第２下ヘッダの下側形成部を変形させることにより形成され、かつ冷媒分流区画の内方に突出したリブからなる請求項８記載の熱交換器。
【請求項１０】
第１上ヘッダの全体に、下降流チューブ群の上端部が通じさせられるとともに、冷媒が第１上ヘッダの長手方向に流れながら全熱交換チューブに分かれて流入する上側冷媒分流区画が設けられ、第１上ヘッダが、下側形成部および下側形成部に固定状に設けられた上側形成部を有し、第１上ヘッダの上側冷媒分流区画内の全体が上下に仕切られていない１つの空間となり、第１上ヘッダの上側形成部における上側冷媒分流区画内に臨む面に、当該上側冷媒分流区画内を長手方向に流れる冷媒を風上側に案内する上側ガイドが設けられている請求項８または９記載の熱交換器。
【請求項１１】
上側ガイドが、第１上ヘッダの上側形成部を変形させることにより形成され、かつ上側冷媒分流区画の内方に突出したリブからなる請求項１０記載の熱交換器。
【請求項１２】
第１上ヘッダと第２上ヘッダとが１つの上ヘッダタンクに設けられ、第１下ヘッダと第２下ヘッダとが１つの下ヘッダタンクに設けられ、上ヘッダタンクおよび下ヘッダタンクが、熱交換チューブ側を形成する第１タンク部材、および熱交換チューブとは反対側を形成しかつ第１タンク部材に固定された第２タンク部材からなり、第１上ヘッダの下側形成部、第１下ヘッダの上側形成部、第２上ヘッダの下側形成部および第２下ヘッダの上側形成部が第１タンク部材に設けられ、第１上ヘッダの上側形成部、第１下ヘッダの下側形成部、第２上ヘッダの上側形成部および第２下ヘッダの下側形成部が第２タンク部材に設けられている請求項３〜１１のうちのいずれかに記載の熱交換器。
【発明の詳細な説明】
【技術分野】
【０００１】
この発明は、たとえば自動車に搭載される冷凍サイクルであるカーエアコンのエバポレータに好適に使用される熱交換器に関する。
【０００２】
この明細書および特許請求の範囲において、図１〜図３、図６および図７の上下を上下というものとする。
【背景技術】
【０００３】
たとえば高性能化および小型軽量化の要求を満たすエバポレータに用いられる熱交換器として、本出願人は、先に、第１上ヘッダと、長手方向を第１上ヘッダと同方向に向けた状態で第１上ヘッダの下方に配置された第１下ヘッダと、長手方向を上下方向に向けるとともに幅方向を通風方向に向けた状態で第１上ヘッダと第１下ヘッダとの間に配置され、かつ上下両端部が両ヘッダに接続された複数の扁平状熱交換チューブと、長手方向を第１上ヘッダと同方向に向けた状態で第１上ヘッダの風上側に並んで配置された第２上ヘッダと、長手方向を第２上ヘッダと同方向に向けた状態で第２上ヘッダの下方に配置され、かつ第１下ヘッダの風上側に並んだ第２下ヘッダと、長手方向を上下方向に向けるとともに幅方向を通風方向に向けた状態で第２上ヘッダと第２下ヘッダとの間に配置され、かつ上下両端部が両ヘッダに接続された複数の扁平状熱交換チューブとを備えており、熱交換チューブに複数の冷媒通路が通風方向に並んで設けられ、第１下ヘッダおよび第２下ヘッダのうち少なくともいずれか一方に、連続して並んだ複数の熱交換チューブからなりかつ冷媒が下から上に流れる上昇流チューブ群が通じるとともに、冷媒が両下ヘッダの長手方向に流れながら当該上昇流チューブ群の熱交換チューブに分かれて流入する下側冷媒分流区画が設けられ、第１上ヘッダおよび第２上ヘッダのうち少なくともいずれか一方に、連続して並んだ複数の熱交換チューブからなりかつ冷媒が上から下に流れる下降流チューブ群が通じるとともに、冷媒が両上ヘッダの長手方向に流れながら当該下降流チューブ群の熱交換チューブに分かれて流入する上側冷媒分流区画が設けられ、下側冷媒分流区画および上側冷媒分流区画が、板状の仕切部によって、熱交換チューブ側に位置しかつ熱交換チューブが臨む第１空間と、第１空間の上下方向外側に位置する第２空間とに分割され、第１空間と第２空間とが仕切部に形成された連通穴を介して通じさせられており、仕切部の第２空間内を向いた面における連通穴の両冷媒分流区画の冷媒流れ方向下流側縁部に、冷媒を風上側に案内するガイドが設けられている熱交換器を提案した（特許文献１参照）。
【０００４】
特許文献１記載の熱交換器においては、冷媒が両冷媒分流区画内を長手方向に流れる際に、ガイドに誘導されて多くの冷媒が風上側に流れる。したがって、冷媒分流区画に通じる熱交換チューブの風上側の冷媒通路に多くの冷媒が流れることになり、熱交換器をエバポレータとして用いた場合の性能を向上させることが可能になる。
【０００５】
しかしながら、特許文献１記載の熱交換器においては、冷媒分流区画および上側冷媒分流区画内を、板状の仕切部によって、熱交換チューブ側に位置しかつ熱交換チューブが臨む第１空間と、第１空間の上下方向外側に位置する第２空間とに分割する必要があり、部品点数が多くなるという問題がある。
【０００６】
しかも、冷媒分流区画および上側冷媒分流区画内の全体を１つの空間とすることを要求される熱交換器には適用することができないという問題がある。
【先行技術文献】
【特許文献】
【０００７】
【特許文献１】特開２０１６−５７０３６号公報
【発明の概要】
【発明が解決しようとする課題】
【０００８】
この発明の目的は、上記問題を解決し、特許文献１記載の熱交換器に比べて部品点数が少ない熱交換器を提供することにある。
【課題を解決するための手段】
【０００９】
本発明は、上記目的を達成するために以下の態様からなる。
【００１０】
1)上ヘッダと、長手方向を上ヘッダと同方向に向けた状態で上ヘッダの下方に配置された下ヘッダと、長手方向を上下方向に向けるとともに幅方向を通風方向に向けた状態で上ヘッダと下ヘッダとの間に配置され、かつ上下両端部が両ヘッダに接続された複数の扁平状熱交換チューブとを備えており、上ヘッダと下ヘッダとの間に、両ヘッダ間に配置された全熱交換チューブのうちの連続して並んだ少なくとも一部の複数の熱交換チューブからなり、かつ冷媒が下から上に流れる上昇流チューブ群が設けられ、下ヘッダに、上昇流チューブ群の熱交換チューブが通じさせられるとともに、冷媒が下ヘッダの長手方向に流れながら上昇流チューブ群の全熱交換チューブに分かれて流入する冷媒分流区画が１以上設けられ、熱交換チューブに複数の冷媒通路が通風方向に並んで設けられている熱交換器であって、
下ヘッダが、上側形成部および上側形成部に固定状に設けられた下側形成部を有し、下ヘッダの冷媒分流区画内の全体が上下に仕切られていない１つの空間となり、下ヘッダの下側形成部における冷媒分流区画内に臨む面に、当該冷媒分流区画内を長手方向に流れる冷媒を風上側に案内するガイドが設けられている熱交換器。
【００１１】
2)ガイドが、下ヘッダの下側形成部を変形させることにより形成され、かつ冷媒分流区画の内方に突出したリブからなる上記1)記載の熱交換器。
【００１２】
3)第１上ヘッダと、長手方向を第１上ヘッダと同方向に向けた状態で第１上ヘッダの下方に配置された第１下ヘッダと、長手方向を上下方向に向けるとともに幅方向を通風方向に向けた状態で第１上ヘッダと第１下ヘッダとの間に配置され、かつ上下両端部が両ヘッダに接続された複数の扁平状熱交換チューブと、長手方向を第１上ヘッダと同方向に向けた状態で第１上ヘッダの風上側に並んで配置された第２上ヘッダと、長手方向を第２上ヘッダと同方向に向けた状態で第２上ヘッダの下方に配置され、かつ第１下ヘッダの風上側に並んだ第２下ヘッダと、長手方向を上下方向に向けるとともに幅方向を通風方向に向けた状態で第２上ヘッダと第２下ヘッダとの間に配置され、かつ上下両端部が両ヘッダに接続された複数の扁平状熱交換チューブとを備えており、第１上ヘッダと第１下ヘッダとの間に、連続して並んだ複数の熱交換チューブからなりかつ冷媒が上から下に流れる下降流チューブ群と、連続して並んだ複数の熱交換チューブからなりかつ冷媒が下から上に流れる上昇流チューブ群とが、両ヘッダの長手方向に並んで設けられ、第１上ヘッダに、下降流チューブ群の上端部が通じる第１区画と上昇流チューブ群の上端部が通じる第２区画とが第１上ヘッダの長手方向に並んで設けられるとともに、第１下ヘッダに、下降流チューブ群の下端部が通じる第３区画と上昇流チューブ群の下端部が通じる第４区画とが第１下ヘッダの長手方向に並んで設けられており、第２上ヘッダと第２下ヘッダとの間に、連続して並んだ複数の熱交換チューブからなりかつ冷媒が上から下に流れる下降流チューブ群と、連続して並んだ複数の熱交換チューブからなりかつ冷媒が下から上に流れる上昇流チューブ群とが、両ヘッダの長手方向に並んで設けられ、第２上ヘッダに、下降流チューブ群の上端部が通じる第５区画と上昇流チューブ群の上端部が通じる第６区画とが第２上ヘッダの長手方向に並んで設けられるとともに、第２下ヘッダに、下降流チューブ群の下端部が通じる第７区画と上昇流チューブ群の下端部が通じる第８区画とが第２下ヘッダの長手方向に並んで設けられており、全第４区画のうちの少なくとも一部および全第８区画のうちの少なくとも一部が、上昇流チューブ群の熱交換チューブが通じさせられるとともに、冷媒が下ヘッダの長手方向に流れながら上昇流チューブ群の全熱交換チューブに分かれて流入する冷媒分流区画となっており、
第１下ヘッダおよび第２下ヘッダが、それぞれ上側形成部および上側形成部に固定状に設けられた下側形成部を有し、第１下ヘッダおよび第２下ヘッダの冷媒分流区画内の全体が上下に仕切られていない１つの空間となり、第１下ヘッダおよび第２下ヘッダの下側形成部における冷媒分流区画内に臨む面に、当該冷媒分流区画内を長手方向に流れる冷媒を風上側に案内するガイドが設けられている上記1)記載の熱交換器。
【００１３】
4)ガイドが、第１下ヘッダおよび第２下ヘッダの下側形成部を変形させることにより形成され、かつ冷媒分流区画の内方に突出したリブからなる上記3)記載の熱交換器。
【００１４】
5)第１上ヘッダの少なくとも１つの第１区画が、下降流チューブ群が通じさせられるとともに、冷媒が第１上ヘッダの長手方向に流れながら下降流チューブ群の全熱交換チューブに分かれて流入する上側冷媒分流区画となっており、第１上ヘッダが、下側形成部および下側形成部に固定状に設けられた上側形成部を有し、第１上ヘッダの上側冷媒分流区画内の全体が上下に仕切られていない１つの空間となり、第１上ヘッダの上側形成部における上側冷媒分流区画内に臨む面に、当該上側冷媒分流区画内を長手方向に流れる冷媒を風上側に案内する上側ガイドが設けられている上記3)または4)記載の熱交換器。
【００１５】
6)上側ガイドが、第１上ヘッダの上側形成部を変形させることにより形成され、かつ上側冷媒分流区画の内方に突出したリブからなる上記5)記載の熱交換器。
【００１６】
7)第１上ヘッダの一端に冷媒入口が設けられるとともに第２上ヘッダの冷媒入口と同一端に冷媒出口が設けられ、冷媒入口および冷媒出口とは反対側の端部に、風下側最遠下降流チューブ群および風上側最遠下降流チューブ群が設けられており、風下側最遠下降流チューブ群の上端部が通じる第１上ヘッダの第１区画が最遠第１区画になるとともに風下側最遠下降流チューブ群の下端部が通じる第３区画が最遠第３区画となり、風上側最遠下降流チューブ群の上端部が通じる第２上ヘッダの第５区画が最遠第５区画になるとともに風上側最遠下降流チューブ群の下端部が通じる第７区画が最遠第７区画となり、最遠第１区画に当該最遠第１区画に隣接する第２区画から冷媒が流入するようになされ、最遠第１区画と最遠第５区画とが通風方向に並ぶとともに両者が相互に通じさせられ、最遠第３区画と最遠第７区画とが通風方向に並ぶとともに両者が相互に通じさせられている上記3)〜6)のうちのいずれかに記載の熱交換器。
【００１７】
8)第１上ヘッダと、長手方向を第１上ヘッダと同方向に向けた状態で第１上ヘッダの下方に配置された第１下ヘッダと、長手方向を上下方向に向けるとともに幅方向を通風方向に向けた状態で第１上ヘッダと第１下ヘッダとの間に配置され、かつ上下両端部が両ヘッダに接続された複数の扁平状熱交換チューブと、長手方向を第１上ヘッダと同方向に向けた状態で第１上ヘッダの風上側に並んで配置された第２上ヘッダと、長手方向を第２上ヘッダと同方向に向けた状態で第２上ヘッダの下方に配置され、かつ第１下ヘッダの風上側に並んだ第２下ヘッダと、長手方向を上下方向に向けるとともに幅方向を通風方向に向けた状態で第２上ヘッダと第２下ヘッダとの間に配置され、かつ上下両端部が両ヘッダに接続された複数の扁平状熱交換チューブとを備えており、第１上ヘッダの一端に冷媒入口が設けられるとともに第２上ヘッダの冷媒入口と同一端に冷媒出口が設けられ、第１下ヘッダと第２下ヘッダとがいずれか一端部において通じさせられ、第１上ヘッダと第１下ヘッダとの間に、当該両ヘッダ間に配置された全ての熱交換チューブからなりかつ冷媒が上から下に流れる下降流チューブ群が設けられ、第２上ヘッダと第２下ヘッダとの間に、当該両ヘッダ間に配置された全ての熱交換チューブからなりかつ冷媒が下から上に流れる上昇流チューブ群が設けられ、第２下ヘッダの全体に、上昇流チューブ群の下端部が通じさせられるとともに、冷媒が第２下ヘッダの長手方向に流れながら上昇流チューブ群の全熱交換チューブに分かれて流入する冷媒分流区画が設けられ、第２下ヘッダが、上側形成部および上側形成部に固定状に設けられた下側形成部を有し、第２下ヘッダの冷媒分流区画内の全体が上下に仕切られていない１つの空間となり、第２下ヘッダの下側形成部における冷媒分流区画内に臨む面に、当該冷媒分流区画内を長手方向に流れる冷媒を風上側に案内するガイドが設けられている上記1)記載の熱交換器。
【００１８】
9)ガイドが、第２下ヘッダの下側形成部を変形させることにより形成され、かつ冷媒分流区画の内方に突出したリブからなる上記8)記載の熱交換器。
【００１９】
10)第１上ヘッダの全体に、下降流チューブ群の上端部が通じさせられるとともに、冷媒が第１上ヘッダの長手方向に流れながら全熱交換チューブに分かれて流入する上側冷媒分流区画が設けられ、第１上ヘッダが、下側形成部および下側形成部に固定状に設けられた上側形成部を有し、第１上ヘッダの上側冷媒分流区画内の全体が上下に仕切られていない１つの空間となり、第１上ヘッダの上側形成部における上側冷媒分流区画内に臨む面に、当該上側冷媒分流区画内を長手方向に流れる冷媒を風上側に案内する上側ガイドが設けられている上記8)または9)記載の熱交換器。
【００２０】
11)上側ガイドが、第１上ヘッダの上側形成部を変形させることにより形成され、かつ上側冷媒分流区画の内方に突出したリブからなる上記10)記載の熱交換器。
【００２１】
12)第１上ヘッダと第２上ヘッダとが１つの上ヘッダタンクに設けられ、第１下ヘッダと第２下ヘッダとが１つの下ヘッダタンクに設けられ、上ヘッダタンクおよび下ヘッダタンクが、熱交換チューブ側を形成する第１タンク部材、および熱交換チューブとは反対側を形成しかつ第１タンク部材に固定された第２タンク部材からなり、第１上ヘッダの下側形成部、第１下ヘッダの上側形成部、第２上ヘッダの下側形成部および第２下ヘッダの上側形成部が第１タンク部材に設けられ、第１上ヘッダの上側形成部、第１下ヘッダの下側形成部、第２上ヘッダの上側形成部および第２下ヘッダの下側形成部が第２タンク部材に設けられている上記3)〜11)のうちのいずれかに記載の熱交換器。
【発明の効果】
【００２２】
上記1)〜12)の熱交換器によれば、冷媒が、下ヘッダの冷媒分流区画内を長手方向に流れる際に、ガイドに誘導されて多くの冷媒が風上側に流れる。したがって、冷媒分流区画に通じる上昇流チューブ群の熱交換チューブの風上側の冷媒通路に多くの冷媒が流れることになり、熱交換器をエバポレータとして用いた場合の性能を向上させることが可能になる。特に、冷媒量が少ない場合であっても、冷媒分流区画に通じる熱交換チューブの風上側の冷媒通路に多くの冷媒を効果的に流すことができ、熱交換器をエバポレータとして用いた場合の性能を著しく向上させることが可能になる。これに対し、特許文献１記載の熱交換器のように区画を上下に分割する仕切部にガイドが設けられていると、冷媒量が少ない場合、ガイドが有効に作用せず、冷媒を風上に流すことが困難になって、熱交換器をエバポレータとして用いた場合の性能の効果的な向上を期待することができない。
【００２３】
しかも、特許文献１記載の熱交換器のようにガイドを設ける仕切部を必要としないので、部品点数が少なくなる。また、ガイドを設ける仕切部を必要としないので、冷媒分流区画を含めてヘッダに設けられる全ての区画内の全体を１つの空間とする熱交換器にも適用可能になる。
【００２４】
上記2)の熱交換器によれば、比較的簡単に、ガイドを下ヘッダの下側形成部に設けることが可能になる。
【００２５】
上記3)の熱交換器によれば、冷媒が、第１下ヘッダおよび第２下ヘッダの冷媒分流区画内を長手方向に流れる際に、第１下ヘッダおよび第２下ヘッダの冷媒分流区画に通じる上昇流チューブ群の熱交換チューブの風上側の冷媒通路に多くの冷媒を効果的に流すことができ、熱交換器をエバポレータとして用いた場合の性能を著しく向上させることが可能になる。特に、冷媒量が少ない場合であっても、第１下ヘッダおよび第２下ヘッダの冷媒分流区画に通じる上昇流チューブ群の熱交換チューブの風上側の冷媒通路に多くの冷媒を効果的に流すことができ、熱交換器をエバポレータとして用いた場合の性能を著しく向上させることが可能になる。
【００２６】
上記4)の熱交換器によれば、比較的簡単に、ガイドを第１下ヘッダおよび第２下ヘッダの下側形成部に設けることが可能になる。
【００２７】
上記5)の熱交換器によれば、冷媒が、第１上ヘッダの上側冷媒分流区画内を長手方向に流れる際に、上側ガイドに誘導されて多くの冷媒が風上側に流れる。したがって、上側冷媒分流区画に通じる下降流チューブ群の熱交換チューブの風上側の冷媒通路に多くの冷媒が流れることになり、熱交換器をエバポレータとして用いた場合の性能を向上させることが可能になる。しかも、特許文献１記載の熱交換器のようにガイドを設ける仕切部を必要としないので、部品点数が少なくなる。
【００２８】
上記6)の熱交換器によれば、比較的簡単に、上側ガイドを第１上ヘッダの上側形成部に設けることが可能になる。
【００２９】
上記8)の熱交換器によれば、冷媒が、第２下ヘッダの冷媒分流区画内を長手方向に流れる際に、ガイドに誘導されて多くの冷媒が風上側に流れる。したがって、冷媒分流区画に通じる上昇流チューブ群の熱交換チューブの風上側の冷媒通路に多くの冷媒が流れることになり、熱交換器をエバポレータとして用いた場合の性能を向上させることが可能になる。
【００３０】
上記9)の熱交換器によれば、比較的簡単に、ガイドを第２下ヘッダの下側形成部に設けることが可能になる。
【００３１】
上記10)の熱交換器によれば、冷媒が、第１上ヘッダの上側冷媒分流区画内を長手方向に流れる際に、上側ガイドに誘導されて多くの冷媒が風上側に流れる。したがって、上側冷媒分流区画に通じる下降流チューブ群の熱交換チューブの風上側の冷媒通路に多くの冷媒が流れることになり、熱交換器をエバポレータとして用いた場合の性能を向上させることが可能になる。しかも、特許文献１記載の熱交換器のようにガイドを設ける仕切部を必要としないので、部品点数が少なくなる。
【００３２】
上記11)の熱交換器によれば、比較的簡単に、上側ガイドを第１上ヘッダの上側形成部に設けることが可能になる。
【図面の簡単な説明】
【００３３】
【図１】この発明の熱交換器を適用したエバポレータの全体構成を示す一部を省略した斜視図である。
【図２】図１のエバポレータの構成を概略的に示すとともに冷媒の流れを示す斜視図である。
【図３】一部を省略した図１のＡ−Ａ線拡大断面図である。
【図４】図１のＢ−Ｂ線断面図である。
【図５】図３のＣ−Ｃ線断面図である。
【図６】図１のエバポレータの下ヘッダタンクの分解斜視図である。
【図７】この発明の熱交換器を適用したエバポレータの他の実施形態の全体構成を概略的に示すとともに冷媒の流れを示す斜視図である。
【発明を実施するための形態】
【００３４】
以下、この発明の実施形態を、図面を参照して説明する。以下に述べる実施形態は、この発明による熱交換器をカーエアコンを構成する冷凍サイクルのエバポレータに適用したものである。
【００３５】
全図面を通じて同一部分および同一物には同一符号を付して重複する説明を省略する。
【００３６】
なお、以下の説明において、「アルミニウム」という用語には、純アルミニウムの他にアルミニウム合金を含むものとする。
【００３７】
また、以下の説明において、隣接する熱交換チューブどうしの間の通風間隙を流れる空気の下流側（図面に矢印Ｘで示す方向）を前、これと反対側を後というものとし、風下側から風上側見た際の左右（図１、図２および図７の左右）を左右というものとする。
【００３８】
図１および図２はエバポレータの全体構成を示し、図３〜図６はその要部の構成を示す。なお、図２においては、熱交換チューブやフィンなどの具体的な図示は省略されている。
【００３９】
図１〜図６において、エバポレータ(1)は、長手方向を左右方向に向けたアルミニウム製第１上ヘッダ(2)と、長手方向を左右方向に向け、かつ第１上ヘッダ(2)の下方に第１上ヘッダ(2)と平行になるように配置されたアルミニウム製第１下ヘッダ(3)と、長手方向を左右方向に向けた状態で第１上ヘッダ(2)と平行になるように第１上ヘッダ(2)の風上側に配置されたアルミニウム製第２上ヘッダ(4)と、長手方向を左右方向に向けた状態で第２上ヘッダ(4)の下方でかつ第１下ヘッダ(3)の風上側に両ヘッダ(4)(3)と平行になるように配置されたアルミニウム製第２下ヘッダ(5)と、長手方向を上下方向に向けるとともに幅方向を通風方向に向けた状態で第１上ヘッダ(2)と第１下ヘッダ(3)との間に配置され、かつ上下両端部が第１上ヘッダ(2)および第１下ヘッダ(3)に接続された複数のアルミニウム製の風下側熱交換チューブ(6)と、長手方向を上下方向に向けるとともに幅方向を通風方向に向けた状態で第２上ヘッダ(4)と第２下ヘッダ(5)との間に配置され、かつ上下両端部が第２上ヘッダ(4)および第２下ヘッダ(5)に接続された複数のアルミニウム製の風上側熱交換チューブ(7)とを備えている。
【００４０】
第１上ヘッダ(2)と第２上ヘッダ(4)は、たとえば１つの上ヘッダタンク(8)内を左右方向にのびる１つの垂直板状の仕切部(9)により通風方向に２つの空間に分割することにより設けられ、第１下ヘッダ(3)と第２下ヘッダ(5)とは、たとえば１つの下ヘッダタンク(11)内を左右方向にのびる垂直板状の仕切部(12)により通風方向に２つの空間に分割することにより設けられている。上ヘッダタンク(8)および下ヘッダタンク(11)は、それぞれ熱交換チューブ(6)(7)側を形成するアルミニウム製第１タンク部材(8a)(11a)、熱交換チューブ(6)(7)とは反対側を形成しかつ第１タンク部材(8a)(11a)にろう材により接合されたアルミニウム製第２タンク部材(8b)(11b)、および両タンク部材(8a)(8b)(11a)(11b)の左右両端部にろう材により接合されたアルミニウム製エンド部材(8c)(11c)からなる。以下、ろう材による接合をろう付と称する。上ヘッダタンク(8)の右側エンド部材(8c)における風下側部分に、第１上ヘッダ(2)内に通じる冷媒入口(13)が設けられるとともに、同じく風上側部分に、第２上ヘッダ(4)内に通じる冷媒出口(14)が設けられている。
【００４１】
第１上ヘッダ(2)は、風下側熱交換チューブ(6)側（下側）を形成する第１上ヘッダ用下側形成部(2a)と、第１上ヘッダ用下側形成部(2a)に固定状に設けられかつ風下側熱交換チューブ(6)とは反対側（上側）を形成する第１上ヘッダ用上側形成部(2b)とを有する。第１下ヘッダ(3)は、風下側熱交換チューブ(6)側（上側）を形成する第１下ヘッダ用上側形成部(3a)と、風下側熱交換チューブ(6)とは反対側（下側）を形成する第１下ヘッダ用下側形成部(3b)とを有する。第２上ヘッダ(4)は、風上側熱交換チューブ(7)側（下側）を形成する第２上ヘッダ用下側形成部(4a)と、風上側熱交換チューブ(7)とは反対側（上側）形成する第２上ヘッダ用上側形成部(4b)とを有する。第２下ヘッダ(5)は、風上側熱交換チューブ(7)側（上側）を形成する第２下ヘッダ用上側形成部(5a)と、風上側熱交換チューブ(7)とは反対側（下側）形成する第２下ヘッダ用下側形成部(5b)とを有する。第１上ヘッダ用下側形成部(2a)および第２上ヘッダ用下側形成部(4a)は上ヘッダタンク(8)の第１タンク部材(8a)に設けられ、第１上ヘッダ用上側形成部(2b)および第２上ヘッダ用上側形成部(4b)は上ヘッダタンク(8)の第２タンク部材(8b)に設けられている。第１下ヘッダ用上側形成部(3a)および第２下ヘッダ用上側形成部(5a)は下ヘッダタンク(11)の第１タンク部材(11a)に設けられ、第１下ヘッダ用下側形成部(3b)および第２下ヘッダ用下側形成部(5b)は下ヘッダタンク(11)の第２タンク部材(11b)に設けられている。
【００４２】
詳細な図示は省略したが、上ヘッダタンク(8)の第２タンク部材(8b)の第１上ヘッダ用上側形成部(2b)の下面には、第１上ヘッダ用上側形成部(2b)を変形させることによって、下方に突出しかつ風上側（後側）に向かって左方に傾斜した複数のリブ(15)が左右方向に間隔をおいて形成され、同じく第２上ヘッダ用上側形成部(4b)の下面には、第２上ヘッダ用上側形成部(4b)を変形させることによって、下方に突出しかつ風上側に向かって右方に傾斜した複数のリブ(16)が左右方向に間隔をおいて形成されている。
【００４３】
図３〜図６を参照すると、下ヘッダタンク(11)の第２タンク部材(11b)の第１下ヘッダ用下側形成部(3b)の上面には、第１下ヘッダ用下側形成部(3b)を変形させることによって、上方に突出しかつ風上側（後側）に向かって左方に傾斜した複数のリブ(17)が左右方向に間隔をおいて形成され、同じく第２下ヘッダ用下側形成部(5b)の上面には、第２下ヘッダ用下側形成部(5b)を変形させることによって、上方に突出しかつ風上側に向かって右方に傾斜した複数のリブ(18)が左右方向に間隔をおいて形成されている。
【００４４】
なお、上ヘッダタンク(8)の第１タンク部材(8a)は、下ヘッダタンク(11)の第１タンク部材(11a)を上下逆向きに配置したものであり、上ヘッダタンク(8)の第２タンク部材(8b)は下ヘッダタンク(11)の第２タンク部材(11b)を上下逆向きに配置したものである。
【００４５】
熱交換チューブ(6)(7)には、複数の冷媒通路(6a)(7a)が通風方向に並んで形成されている。第１上ヘッダ(2)と第１下ヘッダ(3)との間に配置された風下側熱交換チューブ(6)により風下側チューブ列(20)が構成され、第２上ヘッダ(4)と第２下ヘッダ(5)との間に配置された風上側熱交換チューブ(7)により風上側チューブ列(21)が構成されている。風下側チューブ列(20)および風上側チューブ列(21)の全熱交換チューブ(6)(7)は、上下両端寄りの一定長さ部分が、両上ヘッダ(2)(4)および両下ヘッダ(3)(5)内に挿入された状態で、両タンク(8)(11)にろう付されている。全熱交換チューブ(6)(7)の上端および下端は同一高さ位置にある。なお、全熱交換チューブ(6)(7)の上端の高さ位置および下端の高さ位置は若干異なっている場合もある。また、風下側チューブ列(20)の熱交換チューブ(6)(7)の数と風上側チューブ列(21)の熱交換チューブ(6)(7)の数とは等しくなっている。
【００４６】
両チューブ列(20)(21)の隣接する熱交換チューブ(6)(7)どうしの間の通風間隙および左右両端の熱交換チューブ(6)(7)の外側に、それぞれ両チューブ列(20)(21)の熱交換チューブ(6)(7)に跨って共有されるようにアルミニウム製コルゲートフィン(22)が配置されて両熱交換チューブ(6)(7)にろう付され、左右両端のコルゲートフィン(22)の外側にそれぞれアルミニウム製サイドプレート(23)が配置されてコルゲートフィン(22)にろう付されている。左右両端の熱交換チューブ(6)(7)とサイドプレート(23)との間も通風間隙となっている。空気は、図面に矢印Ｘで示す方向に流れ、両チューブ列(20)(21)の隣接する熱交換チューブ(6)(7)どうしの間の通風間隙を通過した後、車両用空調装置が搭載されている車両の車室内に送り込まれる。
【００４７】
図２を参照すると、風下側チューブ列(20)は、連続して並んだ複数の風下側熱交換チューブ(6)からなるとともに冷媒が上から下に流れ、かつ左端部側（冷媒入口(13)とは反対端部側）に設けられた第１下降流チューブ群(24)と、連続して並んだ複数の風下側熱交換チューブ(6)からなるとともに冷媒が下から上に流れ、かつ第１下降流チューブ群(24)の右側に隣接して設けられた第１上昇流チューブ群(25)と、連続して並んだ複数の風下側熱交換チューブ(6)からなるとともに冷媒が上から下に流れ、かつ第１上昇流チューブ群(25)の右側に隣接して設けられた第２下降流チューブ群(26)とを備えている。風上側チューブ列(21)は、連続して並んだ複数の風上側熱交換チューブ(7)からなるとともに冷媒が上から下に流れ、かつ第１下降流チューブ群(24)の風上側に並んで設けられた第３下降流チューブ群(27)と、連続して並んだ複数の風上側熱交換チューブ(7)からなるとともに冷媒が下から上に流れ、かつ第３下降流チューブ群(27)の右側に隣接して設けられた第２上昇流チューブ群(28)とを備えている。すなわち、風下側チューブ列(20)には下降流チューブ群(24)(26)と上昇流チューブ群(25)とが風下側の上下両ヘッダ(2)(3)の長手方向に交互に並んで設けられ、風上側チューブ列(21)には、下降流チューブ群(27)と上昇流チューブ群(28)とが風上側の上下両ヘッダ(4)(5)の長手方向に交互に並んで設けられている。
【００４８】
第１下降流チューブ群(24)が、風下側チューブ列(20)における冷媒入口(13)から最も遠い位置にある最遠チューブ群であり、第２下降流チューブ群(26)が、風下側チューブ列(20)における冷媒入口(13)に最も近い位置にある最近チューブ群である。また、第３下降流チューブ群(27)が、風上側チューブ列(21)における冷媒出口(14)から最も遠い位置にある最遠チューブ群であり、第２上昇流チューブ群(28)が、冷媒出口(14)に最も近い位置にある最近チューブ群である。
【００４９】
風下側チューブ列(20)の第１下降流チューブ群(24)を構成する風下側熱交換チューブ(6)の数は、風上側チューブ列(21)の第３下降流チューブ群(27)を構成する風上側熱交換チューブ(7)の数と等しくなっているとともに、両チューブ群(24)(27)の左右方向の幅は同一であり、両チューブ群(24)(27)により１つのパスが構成されている。第２下降流チューブ群(26)および第１上昇流チューブ群(25)を構成する風下側熱交換チューブ(6)の合計数は、第２上昇流チューブ群(28)を構成する風上側熱交換チューブ(7)の数と等しくなっており、第２下降流チューブ群(26)および第１上昇流チューブ群(25)の左右方向の合計幅は、第２上昇流チューブ群(28)の左右方向の幅と同一である。第１下降流チューブ群(24)および第３下降流チューブ群(27)を除いた残りのチューブ群(25)(26)(28)は、それぞれ単独で１つのパスを構成している。
【００５０】
第１上ヘッダ(2)は、左端部側に設けられかつ第１下降流チューブ群(24)の風下側熱交換チューブ(6)の上端部が通じる風下側上左区画(30)（第１区画）と、風下側上左区画(30)の右側に隣接して設けられるとともに第１上昇流チューブ群(25)の風下側熱交換チューブ(6)の上端部が通じ、かつ風下側上左区画(30)に向かって冷媒が左方に流出する風下側上中央区画(31)（第２区画）と、風下側上中央区画(31)の右側に隣接して設けられるとともに第２下降流チューブ群(26)の風下側熱交換チューブ(6)の上端部が通じる風下側上右区画(32)（第１区画）とを備えている。すなわち、第１上ヘッダ(2)に、２種類の３つの区画(30)(31)(32)が第１上ヘッダ(2)の長手方向に交互に並んで設けられている。風下側上左区画(30)と風下側上中央区画(31)との間には仕切はなく、冷媒は風下側上中央区画(31)から左方に真っ直ぐ流れて風下側上左区画(30)に流入する。風下側上中央区画(31)と風下側上右区画(32)との間には板状の分割部(33)が存在している。風下側上右区画(32)が冷媒入口(13)に通じている。
【００５１】
第１下ヘッダ(3)は、左端部側に設けられかつ第１下降流チューブ群(24)の風下側熱交換チューブ(6)の下端部が通じる風下側下左区画(34)（第３区画)と、風下側下左区画(34)の右側に隣接して設けられるとともに第１上昇流チューブ群(25)の風下側熱交換チューブ(6)の下端部が通じる風下側下中央区画(35)（第４区画）と、風下側下中央区画(35)の右側に隣接して設けられるとともに第２下降流チューブ群(26)の風下側熱交換チューブ(6)の下端部が通じ、かつ風下側下中央区画(35)に冷媒が流出する風下側下右区画(36)（第３区画）とを備えている。すなわち、第１下ヘッダ(5)に、２種類の３つの区画(34)(35)(36)が第１下ヘッダ(3)の長手方向に交互に並んで設けられている。風下側下左区画(34)と風下側下中央区画(35)との間には板状の分割部(37)が存在している。風下側下中央区画(35)と風下側下右区画(36)との間には仕切はなく、冷媒は風下側下右区画(36)から左方に真っ直ぐ流れて風下側下中央区画(35)に流入する。
【００５２】
第２上ヘッダ(4)は、左端部側に設けられかつ第３下降流チューブ群(27)の風上側熱交換チューブ(7)の上端部が通じる風上側上左区画(38)（第５区画）と、風上側上左区画(38)の右側に隣接して設けられるとともに第２上昇流チューブ群(28)の風上側熱交換チューブ(7)の上端部が通じる風上側上右区画(39)（第６区画）とを備えている。すなわち、第２上ヘッダ(4)に、２種類の２つの区画(38)(39)が第２上ヘッダ(4)の長手方向に交互に並んで設けられている。風上側上左区画(38)と風上側上右区画(39)との間には板状の分割部(41)が存在している。風上側上右区画(39)が冷媒出口(14)に通じている。
【００５３】
第２下ヘッダ(5)は、左端部側に設けられかつ第３下降流チューブ群(27)の風上側熱交換チューブ(7)の下端部が通じる風上側下左区画(42)（第７区画）と、風上側下左区画(42)の右側に隣接して設けられるとともに第２上昇流チューブ群(28)の風上側熱交換チューブ(7)の下端部が通じ、かつ風上側下左区画(42)から冷媒が流入する風上側下右区画(43)（第８区画）とを備えている。すなわち、第２下ヘッダ(5)に、２種類の２つの区画(42)(43)が第２下ヘッダ(5)の長手方向に交互に並んで設けられている。風上側下左区画(42)と風上側下右区画(43)との間には仕切はなく、冷媒は風上側下左区画(42)から右方に真っ直ぐ流れて風上側下右区画(43)に流入する。
【００５４】
風下側上左区画(30)、風下側下左区画(34)、風上側上左区画(38)および風上側下左区画(42)の左右方向の長さは等しくなっている。風下側上中央区画(31)および風下側下中央区画(35)の左右方向の長さは等しくなっている。風下側上右区画(32)および風下側下右区画(36)の左右方向の長さは等しくなっている。また、風上側上右区画(39)および風上側下右区画(43)の左右方向の長さは等しくなっており、当該長さは、風下側上中央区画(31)の左右方向の長さと風下側上右区画(32)の左右方向の長さの合計の長さに等しくなっているとともに、風下側下中央区画(35)の左右方向の長さと風下側下右区画(36)の左右方向の長さの合計の長さに等しくなっている。全区画(30)(31)(32)(34)(35)(36)(38)(39)(42)(43)内の全体が、上下に仕切られていない１つの空間となっている。
【００５５】
風下側上左区画(30)と風上側上左区画(38)とは、仕切部(9)に形成された２種類の連通穴(44)(45)により通じさせられている。風下側下左区画(34)と風上側下左区画(42)とは、仕切部(12)に形成された２種類の連通穴(46)(47)により通じさせられている。
【００５６】
冷媒入口(13)から流入した冷媒は、次のように２つの経路を流れて冷媒出口(14)から流出するようになされている。第１の経路は、風下側上右区画(32)、第２下降流チューブ群(26)、風下側下右区画(36)、風下側下中央区画(35)、第１上昇流チューブ群(25)、風下側上中央区画(31)、風下側上左区画(30)、第１下降流チューブ群(24)、風下側下左区画(34)、連通穴(46)(47)、風上側下左区画(42)、風上側下右区画(43)、第２上昇流チューブ群(28)および風上側上右区画(39)であり、第２の経路は、風下側上右区画(32)、第２下降流チューブ群(26)、風下側下右区画(36)、風下側下中央区画(35)、第１上昇流チューブ群(25)、風下側上中央区画(31)、風下側上左区画(30)、連通穴(44)(45)、風上側上左区画(38)、第３下降流チューブ群(27)、風上側下左区画(42)、風上側下右区画(43)、第２上昇流チューブ群(28)および風上側上右区画(39)である。
【００５７】
したがって、風下側下中央区画(35)（全第４区画のうちの少なくとも一部）が、冷媒が第１下ヘッダ(3)の長手方向に流れながら第１上昇流チューブ群(25)の複数の風下側熱交換チューブ(6)に分かれて流入する冷媒分流区画となり、風上側下右区画(43)（全第８区画のうちの少なくとも一部）が、冷媒が第２下ヘッダ(5)の長手方向に流れながら第２上昇流チューブ群(28)の複数の風上側熱交換チューブ(7)に分かれて流入する冷媒分流区画となっている。また、風下側上右区画(32)が、冷媒が第１上ヘッダ(2)の長手方向に流れながら第２下降流チューブ群(26)の複数の風下側熱交換チューブ(6)に分かれて流入する上側冷媒分流区画となるとともに、風下側上左区画(30)が、冷媒が第１上ヘッダ(2)の長手方向に流れながら第１下降流チューブ群(24)の複数の風下側熱交換チューブ(6)に分かれて流入する上側冷媒分流区画となっている。
【００５８】
図４〜図６を参照すると、下ヘッダタンク(11)の第２タンク部材(11b)の第１下ヘッダ用下側形成部(3b)における冷媒分流区画である風下側下中央区画(35)内に臨む面に、上述した複数のリブ(17)からなり、かつ風下側下中央区画(35)内を左方に流れる冷媒を風上側に案内するガイド(48)が設けられている。下ヘッダタンク(11)の第２タンク部材(11b)の第２下ヘッダ用下側形成部(5b)における冷媒分流区画である風上側下右区画(43)内に臨む面に、上述した複数のリブ(18)からなり、かつ風上側下右区画(43)内を右方に流れる冷媒を風上側に案内するガイド(49)が設けられている。上ヘッダタンク(8)の第２タンク部材(8b)の第１上ヘッダ用上側形成部(2b)における上側冷媒分流区画である風下側上右区画(32)内および風下側上左区画(30)内に臨む面に、上述した複数のリブ(16)からなり、かつ風下側上右区画(32)内および風下側上左区画(30)内を左方に流れる冷媒を風上側に案内する上側ガイド(50)が設けられている。
【００５９】
上述したエバポレータ(1)において、冷媒入口(13)から第１上ヘッダ(2)の風下側上右区画(32)内に流入した冷媒が風下側上右区画(32)内を長手方向に流れながら第２下降流チューブ群(26)の風下側熱交換チューブ(6)に分かれて流入する際、および第１上ヘッダ(2)の風下側上中央区画(31)から風下側上左区画(30)に流入した冷媒が風下側上左区画(30)を長手方向に流れながら第１下降流チューブ群(24)の風下側熱交換チューブ(6)に分かれて流入する際に、上側ガイド(50)に誘導されて多くの冷媒が風上側に流れる。また、第１下ヘッダ(3)の風下側下右区画(36)から風下側下中央区画(35)に流入した冷媒が風下側下中央区画(35)を長手方向に流れながら第１上昇流チューブ群(25)の風下側熱交換チューブ(6)に分かれて流入する際、および第２下ヘッダ(5)の風上側下左区画(42)から風上側下右区画(43)に流入した冷媒が風上側下右区画(43)を長手方向に流れながら第２上昇流チューブ群(28)の風上側熱交換チューブ(7)に分かれて流入する際に、ガイド(48)(49)に誘導されて多くの冷媒が風上側に流れる。したがって、上述した２つの下降流チューブ群(26)(24)の熱交換チューブ(6)の風上側の冷媒通路(6a)に多くの冷媒が流れることになるとともに、上述した２つの上昇流チューブ群(25)(28)の熱交換チューブ(6)(7)の風上側の冷媒通路(6a)(7a)に多くの冷媒が流れることになり、エバポレータ(1)の性能を向上させることが可能になる。
【００６０】
図７はこの発明を適用したエバポレータの他の実施形態を示す。
【００６１】
図７に示すエバポレータ(60)の場合、風下側チューブ列(20)の全ての風下側熱交換チューブ(6)により１つの下降流チューブ群(61)が設けられ、風上側チューブ列(21)の全ての風上側熱交換チューブ(7)により１つの上昇流チューブ群(62)が設けられている。
【００６２】
第１上ヘッダ(2)の全体に、下降流チューブ群(61)の全風下側熱交換チューブ(6)が通じる１つの風下側上区画(63)が設けられ、第１下ヘッダ(3)の全体に、下降流チューブ群(61)の全風下側熱交換チューブ(6)が通じる風下側下区画(64)が設けられている。また、第２上ヘッダ(4)の全体に、上昇流チューブ群(62)の全風上側熱交換チューブ(7)が通じる風上側上区画(65)が設けられ、第２下ヘッダ(5)の全体に、上昇流チューブ群(62)の全風上側熱交換チューブ(7)が通じる風上側下区画(66)が設けられている。風下側上区画(63)が冷媒入口(3)に通じ、風上側上区画(65)が冷媒出口(14)に通じている。風下側下区画(64)と風上側下区画(66)とは、下ヘッダタンク(11)タンク部材の一方のエンド部材(11c)、ここでは右側のエンド部材(11c)に設けられた連通部(67)を介して通じさせられている。
【００６３】
冷媒入口(13)から流入した冷媒は、風下側上区画(63)、下降流チューブ群(61)、風下側下区画(64)、連通部(67)、風上側下区画(66)、上昇流チューブ群(62)および風上側上区画(65)からなる経路を流れて冷媒出口(14)から流出するようになされている。
【００６４】
したがって、風上側下区画(66)が、冷媒が第２下ヘッダ(5)の長手方向に流れながら上昇流チューブ群(62)の複数の風上側熱交換チューブ(7)に分かれて流入する冷媒分流区画となる。また、風下側上区画(63)が、冷媒が第１上ヘッダ(2)の長手方向に流れながら下降流チューブ群(61)の複数の風下側熱交換チューブ(6)に分かれて流入する上側冷媒分流区画となっている。
【００６５】
図示は省略したが、下ヘッダタンク(11)の第２タンク部材(11b)の第２下ヘッダ用下側形成部(5b)における冷媒分流区画である風上側下区画(66)内に臨む面に、風上側に向かって左方に傾斜した複数のリブからなり、かつ風上側下区画(66)内を左方に流れる冷媒を風上側に案内するガイドが設けられている。上ヘッダタンク(8)の第２タンク部材(8b)の第１上ヘッダ用上側形成部(2b)における上側冷媒分流区画である風下側上区画(63)内に臨む面に、風上側に向かって左方に傾斜した複数のリブからなり、かつ風下側上区画(63)内を左方に流れる冷媒を風上側に案内する上側ガイドが設けられている。
【００６６】
なお、上ヘッダタンク(8)の仕切部(9)および下ヘッダタンク(11)の仕切部(12)には、風下側下区画(64)と風上側下区画(66)とを通じさせる連通穴は形成されていない。
【００６７】
上述したエバポレータ(60)において、冷媒入口(13)から第１上ヘッダ(2)の風下側上区画(63)内に流入した冷媒が風下側上区画(63)内を長手方向に流れながら下降流チューブ群(61)の風下側熱交換チューブ(6)に分かれて流入する際に、上側ガイドに誘導されて多くの冷媒が風上側に流れる。また、第１下ヘッダ(3)の風下側下区画(64)から連通部(67)を通って第２下ヘッダ(5)の風上側下区画(66)に流入した冷媒が風上側下区画(66)を長手方向に流れながら上昇流チューブ群(62)の風上側熱交換チューブ(7)に分かれて流入する際に、ガイドに誘導されて多くの冷媒が風上側に流れる。したがって、下降流チューブ群(61)の熱交換チューブ(6)の風上側の冷媒通路(6a)に多くの冷媒が流れることになるとともに、上昇流チューブ群(62)の熱交換チューブ(7)の風上側の冷媒通路(7a)に多くの冷媒が流れることになり、エバポレータ(1)の性能を向上させることが可能になる。
【００６８】
上述した実施形態においては、この発明による熱交換器がエバポレータ(1)(60)に適用されているが、これに限定されるものではなく、他の熱交換器にも適用可能である。
【産業上の利用可能性】
【００６９】
この発明による熱交換器は、カーエアコンを構成する冷凍サイクルのエバポレータとして好適に用いられる。
【符号の説明】
【００７０】
(1)(60)：エバポレータ（熱交換器）
(2)：第１上ヘッダ
(3)：第１下ヘッダ
(3b)：下側形成部
(4)：第２上ヘッダ
(5)：第２下ヘッダ
(5b)：下側形成部
(6)(7)：熱交換チューブ
(8)：上ヘッダタンク
(8a)：第１タンク部材
(8b)：第２タンク部材
(11)：下ヘッダタンク
(11a)：第１タンク部材
(11b)：第２タンク部材
(13)：冷媒入口
(14)：冷媒出口
(15)：リブ
(17)(18)：リブ
(24)(26)(27)：下降流チューブ群
(25)(28)：上昇流チューブ群
(30)：風下側上左区画（第１区画、上側冷媒分流区画）
(31)：風下側上中央区画（第２区画）
(32)：風下側上右区画（第１区画、上側冷媒分流区画）
(34)：風下側下左区画（第３区画）
(35)：風下側下中央区画（第４区画、冷媒分流区画）
(36)：風下側下右区画（第３区画）
(38)：風上側上左区画（第５区画）
(39)：風上側上右区画（第６区画）
(42)：風上側下左区画（第７区画）
(43)：風上側下右区画（第８区画、冷媒分流区画）
(48)(49)：ガイド
(50)：上側ガイド
(61)：下降流チューブ群
(62)：上昇流チューブ群
(63)：風下側上区画（上側冷媒分流区画）
(66)：風上側下区画（冷媒分流区画）
【図１】
2020085285.tif 000003
【図２】
2020085285.tif 000004
【図３】
2020085285.tif 000005
【図４】
2020085285.tif 000006
【図５】
2020085285.tif 000007
【図６】
2020085285.tif 000008
【図７】
2020085285.tif 000009